(57)【要約】【課題】ドレンホースの外郭との接続部に断熱材を巻く作業を廃止するとともに、着露したドレンを回収することができる空気調和機を提供すること。【解決手段】この発明に係る空気調和機は、冷凍サイクルを利用して冷暖房運転を行う空気調和機において、空気調和機内部で発生するドレン水を貯留するドレンパンと、  このドレンパンに貯留されたドレン水を外部に排出するドレンホースと、空気調和機外郭に設けられ、ドレンホースの外郭から延出した部分を固定するドレンホース固定手段と、このドレンホース固定手段で固定されるドレンホースの外郭から延出した部分の下方に設けられ、ドレンホースに着露して発生するドレン水を受けてドレンパンに導くドレン水受け手段と、を備えたことを特徴とする。【選択図】        図１
2004278966.tif 000002
【特許請求の範囲】
【請求項１】
冷凍サイクルを利用して冷暖房運転を行う空気調和機において、
空気調和機内部で発生するドレン水を貯留するドレンパンと、
このドレンパンに貯留されたドレン水を外部に排出するドレンホースと、
空気調和機外郭に設けられ、前記ドレンホースの外郭から延出した部分を固定するドレンホース固定手段と、
このドレンホース固定手段で固定される前記ドレンホースの外郭から延出した部分の下方に設けられ、該ドレンホースに着露して発生するドレン水を受けて前記ドレンパンに導くドレン水受け手段と、
を備えたことを特徴とする空気調和機。
【請求項２】
前記ドレン水受け手段を、ドレン水が前記ドレンパンに流れ込むように傾斜させたことを特徴とする請求項１に記載の空気調和機。
【請求項３】
前記ドレンホース固定手段は、空気調和機外郭の側面に延出して設けられた台座と、この台座に前記ドレンホースを固定するバンドとを備えたことを特徴とする請求項１に記載の空気調和機。
【請求項４】
前記台座に、前記ドレンホースの抜けを抑制する突起を設けたことを特徴とする請求項３に記載の空気調和機。
【請求項５】
前記ドレンホースに可とう性を持たせたことを特徴とする請求項１に記載の空気調和機。
【請求項６】
前記ドレン水受け手段は、空気調和機外郭に取り付けられる冷媒配管接続部に発生するドレン水も受けることを特徴とする請求項１に記載の空気調和機。
【発明の詳細な説明】
【０００１】
【発明の属する技術分野】
この発明は、ドレンホースに断熱材を巻く作業を廃止するとともに、着露したドレンを回収することができる空気調和機に関するものである。
【０００２】
【従来の技術】
従来の天井カセット型空気調和機は、冷媒配管及びドレンホースには結露防止用の断熱材が巻かれている。断熱材が巻かれていないと着露したドレンが滴下し、このドレンは接続部の下部にドレンパンが存在しないため回収されず、そのまま滴下する。
【０００３】
【特許文献１】
特開平１０−７３３２７３号公報
【０００４】
【発明が解決しようとする課題】
従来の天井カセット型空気調和機は以上のように構成されているので、ドレンホースの空気調和機外郭との接続部の断熱が必要であり、また、断熱が不十分であると着露したドレン水が滴下するなどの問題点があった。
【０００５】
この発明は上記のような問題点を解消するためになされたもので、ドレンホースの外郭との接続部に断熱材を巻く作業を廃止するとともに、着露したドレンを回収することができる空気調和機を提供することを目的とする。
【０００６】
【課題を解決するための手段】
この発明に係る空気調和機は、冷凍サイクルを利用して冷暖房運転を行う空気調和機において、空気調和機内部で発生するドレン水を貯留するドレンパンと、このドレンパンに貯留されたドレン水を外部に排出するドレンホースと、空気調和機外郭に設けられ、ドレンホースの外郭から延出した部分を固定するドレンホース固定手段と、このドレンホース固定手段で固定されるドレンホースの外郭から延出した部分の下方に設けられ、ドレンホースに着露して発生するドレン水を受けてドレンパンに導くドレン水受け手段と、を備えたことを特徴とする。
【０００７】
【発明の実施の形態】
実施の形態１．
ここでは、空気調和機として天井カセット型を例として説明するが、本発明は、他の空気調和機、例えば天井埋込型にも適用できる。
以下、この発明の実施の形態１を図面に基づいて説明する。
図１、２は実施の形態１を示す図で、図１は空気調和機外郭のドレンホース接続部付近を示す斜視図、図２は空気調和機外郭のドレンホース接続部付近を示す断面図である。
【０００８】
図において、天井カセット型空気調和機の外郭１の側面に、ドレンホース固定手段の一例の台座２がほぼ水平に延出して設けられている。そして、この台座２の下面の先端付近に突起１０が形成されている。フレキシブルなドレンホース３は台座２の下方に配置され、バンド４により台座２にネジ５で固定されている。冷媒配管６は、外郭１の側面に取り付けられた冷媒配管接続部７に接続している。ドレンホース３と冷媒配管接続部７の下方には、ドレンホース３及び冷媒配管接続部７から滴下するドレン水１２を受け、ドレンパン９に導くドレン水受け手段であるカバー８が配置されており、カバー８はドレンパン９方向に傾斜している。カバー８のドレンホース３及び冷媒配管６との接触部には、フランジ１１が形成されている。
【０００９】
次に動作について説明する。
天井カセット型空気調和機を冷房運転すると、冷媒配管６及びドレンホース３の内部には冷えた冷媒又はドレン水が流れる。この為、ドレンホース３と冷媒配管接続部７の温度は周囲の露点温度より低くくなり、ドレンホース３と冷媒配管接続部７に着露が発生しドレン水１２となる。このドレン水１２は、カバー８に導かれ、カバー８はドレンパンに向かって斜めになっている為、カバー８内部を伝ってドレンパン９に導かれる。
【００１０】
また、ドレンホース３は台座２とバンド４を介してネジ５で固定されていて、台座２には突起１０を設けてあり、カバー８にはフランジ１１を設けてある為、天井カセット型空気調和機を据付た後に、ドレン配管を引っ張っても容易に抜ける事は無い。更に、ドレンホース３はフレキシブル性を持たせてある為ドレン配管の施工性に自由な方向の施工が可能になる。
【００１１】
ドレンホース３及び冷媒配管接続部７は、外郭１との接続部付近で冷却水により着露するため、断熱材を巻く必要があるが、本発明では、ドレン水１２を受けてドレンパン９に導くカバー８を設けたので、カバー８内のドレンホース３及び冷媒配管接続部７には断熱材を巻く必要がない。これにより、ドレンホース３及び冷媒配管接続部７に断熱材を巻く作業を一部廃止することができると共に、着露したドレン水１２を回収する事ができる。
【００１２】
【発明の効果】
この発明に係る空気調和機は、ドレンホース固定手段で固定されるドレンホースの外郭から延出した部分の下方に、ドレンホースに着露して発生するドレン水を受けてドレンパンに導くドレン水受け手段を設けたので、ドレンホースに断熱材を巻く作業を一部廃止することができる。
【図面の簡単な説明】
【図１】実施の形態１を示す図で、空気調和機外郭のドレンホース接続部付近を示す斜視図である。
【図２】実施の形態１を示す図で、空気調和機外郭のドレンホース接続部付近を示す断面図である。
【符号の説明】
１  外郭、２  台座、３  ドレンホース、４  バンド、５  ネジ、６  冷媒配管、７  冷媒配管接続部、８  カバー、９  ドレンパン、１０  突起、１１  フランジ、１２  ドレン水。
【図１】
2004278966.tif 000003
【図２】
2004278966.tif 000004